(57)【要約】【課題】家や旅館等に４ケのキヤスターが３６０度回転するス−ツケースを入れる時、汚れているキヤスターの清掃とケース中身を出し入れ時に手指や衣類等が汚れる事のなくなるスーツケースを提供する。【解決手段】カバー本体の右、左各２個に合体テープ２枚を取り付け、３６０度回転するキヤスター付スーツケースに取り付けて使用すれば、使い方も簡単で、手間もいらず、衛生的になる事を特徴とするスーツケースのキヤスターカバー。【選択図】図６
0003141648.tif 000002
【実用新案登録請求の範囲】
【請求項１】
カバ−の本体の右、左の各２個にキヤスタ−入れ、ふち取り、内側マジツクテ−プ２ケ所、先端ア−ル部、外側マジツクテ−プを設け、合体テ−プにマジツクテ−プ２ケ所、平ゴムを設け、本体の右、左と合体テ−プの１セット、ケ−スの表、裏の２セット使用で４ケのキヤスターが３６０度回転するキヤスター付きスーツケ−スに簡単で確実に取り付け、取り外しできる事を特徴とするスーツケースのキヤスターカバー。
【考案の詳細な説明】
【技術分野】
【０００１】  本発明は、１番多く使用されているキヤスター４ケが３６０度回転するスーツケースのキヤスターに、本体の右、左用各２個と合体テープ２枚を組み合せて使用する事により、衛生的で便利なスーツケースのキヤスターカバーに関するものである。
【背景技術】
【０００２】  従来、家や旅館等にキヤスター付きスーツケースを持つて入る時は、汚れているキヤスターを拭いている事と中身を出し入れ時にキヤスターに手指等が触れて汚れる事が多い。
【発明が解決しようとしている課題】
【０００３】  そのために、次のような問題があつた  （イ）家や旅館等にキヤスター付スーツケースを持つて入る時は、汚れたキヤスターを拭くため面倒で手間がかかる。  （ロ）スーツケースを横にして、中身の衣類等を出し入れする時、キヤスターに、手指や衣類と着ている服に触れる事が多く汚れる。  本発明は、これらの問題点を解決するためになされたものである。
【課題を解決するための手段】
【０００４】  カバー本体の右、左各２個に合体テープ２枚を取り付け、３６０度回転するキヤスター付スーツケースにカバーを取り付けて使用すれば、キヤスターの汚れの清掃や手間のかからない事と手指、衣類を汚す事もなくなる事を特徴とするキヤスターカバーである。
【発明の効果】
【０００５】  スーツケースの４ケのキヤスターにカバーを簡単に取り付け、取り外しができて、キヤスターの汚れによる清掃とケースの中身を出し入れ時に手指や衣類が汚れる事がなくなるキヤスター横幅の長さ３１センチから４７センチまで使用可能で、収納も表側を上にして横にすると押入れに入る事とカバー、合体テープは、洗濯もできるので衛生的で便利なスーツケースのキヤスターカバーである。
【考案を実施するための最良の形態】
【０００６】  以下、本発明の実施の形態を説明する。  （イ）本体（１）にキヤスター入れ（２）ふち取り（３）内側マジツクテープ（４）内側マジツクテープ（５）先端アール部（６）外側マジツクテープ（７）を設ける。  （ロ）合体テープ（８）にマジツクテープ（９）平ゴム（１０）を設けて本体に取り付ける。  本発明は、以上の構成よりなつている  これを使用する時は、スーツケース表（１２）を上にして本体（１）左用の外側マジツクテープ（７）に合体用テープ（８）の片方のマジツクテープ（９）に固定、本体（１）のキヤスター入れを開いて下向きのキヤスター（１１）を入れて内側マジツクテープ（４）と（５）を固定、本体の先端アール部（６）を外側にして横にする、次に右用のカバーの本体（１）のキヤスター入れ（２）を開いて下向きのキヤスター（１１）を入れて内側マジツクテープ（４）と（５）を固定させて、先端アール部（６）を外側にして横にする、本体（１）の左用に取り付け、合体テープ（８）のもう片方マジツクテープ（９）を軽く右方向に引張りながら、右用本体（１）の外側マジツクテープ（７）に固定する、取り付け後キヤスター（１１）が本体（１）の先端アール部（６）に合つているか、平ゴム（１０）が外れないかを確認する、両方のキヤスター（１１）に本体（１）の先端アール部（６）に確実に合つていて、平ゴム（１０）が右、左の本体（１）を引張りあつて固定されて外れなくなる。  取り外しする時は、本体（１）の先端部を掴んで外側に軽く引張るだけで本体（１）に合体テープ（８）を装着したままはずれる。  スーツケースの裏側の取り付け方法は、ケースを裏返しにして表側の方法と同じで取り付け、取り外しを行う。
【図面の簡単な説明】
【０００７】
【図１】本発明の表側斜視図
【図２】本発明の裏側斜視図
【図３】本発明の分解斜視図
【図４】本発明のカバーをケースのキヤスターに取り付け斜視図
【図５】本発明のカバーをケースに取り付け固定する斜視図
【図６】本発明のキヤスターカバーをスーツケースに使用斜視図
【符号の説明】
【０００８】  １  本体  ２  キヤスター入れ  ３  ふち取り  ４  内側マジツクテープ  ５  内側マジツクテープ  ６  先端アール部  ７  外側マジツクテープ  ８  合体用テープ  ９  マジツクテープ  １０  平ゴム  １１  キヤスター  １２  スーツケース表
【図１】
0003141648.tif 000003
【図２】
0003141648.tif 000004
【図３】
0003141648.tif 000005
【図４】
0003141648.tif 000006
【図５】
0003141648.tif 000007
【図６】
0003141648.tif 000008
【手続補正書】
【提出日】平成20年2月8日(2008.2.8)
【手続補正１】
【補正対象書類名】実用新案登録請求の範囲
【補正対象項目名】全文
【補正方法】変更
【補正の内容】
【実用新案登録請求の範囲】
【請求項１】
カバーの本体の右、左の各２個にキヤスター入れ、ふち取り、内側面フアスナー２ケ所、先端アール部、外側面フアスナーを設け、合体テープに面フアスナー２ケ所、平ゴムを設け、本体の右、左と合体テープの１セット、ケースの表、裏の２セット使用で４ケのキヤスターが３６０度回転するキヤスター付きスーツケースに簡単で確実に取り付け、取り外しできる事を特徴とするスーツケースのキヤスターカバー。
【手続補正２】
【補正対象書類名】明細書
【補正対象項目名】０００６
【補正方法】変更
【補正の内容】
【０００６】以下、本発明の実施の形態を説明する。（イ）本体（１）にキヤスター入れ（２）ふち取り（３）内側面フアスナー（４）内側面フアスナー（５）先端アール部（６）外側面フアスナー（７）を設ける。（ロ）合体テープ（８）に面フアスナー（９）平ゴム（１０）を設けて本体に取り付ける。本発明は、以上の構成よりなっているこれを使用する時は、スーツケース表（１２）を上にして本体（１）左の外側面フアスナー（７）に合体テープ（８）の片方の面フアスナー（９）に固定、本体（１）のキヤスター入れを開いて下向きのキヤスター（１１）を入れて内側面フアスナー（４）と（５）を固定、本体の先端アール部（６）を外側にして横にする、次に右用のカバーの本体（１）のキヤスター入れ（２）を開いて下向きのキヤスター（１１）を入れて内側面フアスナー（４）と（５）を固定させて、先端アール部（６）を外側にして横にする、本体（１）の左用に取り付け、合体テープ（８）のもう片方面フアスナー（９）を軽く右方向に引張りながら、右用本体（１）の外側面フアスナー（７）に固定する、取り付け後キヤスター（１１）が本体（１）の先端アール部（６）に合っているか、平ゴム（１０）が外れないかを確認する、両方のキヤスター（１１）に本体（１）の先端アール部（６）に確実に合っていて、平ゴム（１０）が右、左の本体（１）を引張りあって固定されて外れなくなる。取り外しする時は、本体（１）の先端部を掴んで外側に軽く引張るだけで本体（１）に合体テープ（８）を装着したままはずれる。スーツケースの裏側の取り付け方法は、ケースを裏返しにして表側の方法と同じで取り付け、取り外しを行う。
【手続補正３】
【補正対象書類名】明細書
【補正対象項目名】０００８
【補正方法】変更
【補正の内容】
【０００８】１  本体２  キヤスター入れ３  ふち取り４  内側面フアスナー５  内側面フアスナー６  先端アール部７  外側面フアスナー８  合体用テープ９  面フアスナー１０  平ゴム１１  キヤスター１２  スーツケース表
【手続補正４】
【補正対象書類名】図面
【補正対象項目名】図１
【補正方法】変更
【補正の内容】
【図１】
0003141648.tif 000009
【手続補正５】
【補正対象書類名】図面
【補正対象項目名】図２
【補正方法】変更
【補正の内容】
【図２】
0003141648.tif 000010
【手続補正６】
【補正対象書類名】図面
【補正対象項目名】図３
【補正方法】変更
【補正の内容】
【図３】
0003141648.tif 000011
【手続補正７】
【補正対象書類名】図面
【補正対象項目名】図５
【補正方法】変更
【補正の内容】
【図５】
0003141648.tif 000012